(57)【特許請求の範囲】
【請求項１】
店内の複数のＰＯＳ端末をＬＡＮ(Local Area Network) などの構内通信回線で結び、売上管理、在庫管理、配送管理などの制御機能を有する店舗サーバと、複数の前記店舗サーバを公衆回線で結び、全店舗レベルの売上管理、在庫管理、配送管理などの制御機能を有する本部サーバとで構成する売上・在庫管理システムにおいて、
顧客毎の売上入力処理を行う複数のＰＯＳ端末と、
前記ＰＯＳ端末よりの売上データに基づき売上管理処理を行う売上管理部と、売上対象商品の店舗内の在庫照会を行う店舗在庫照会部と、店舗在庫が確認された時に該当在庫品を売上引当する在庫品引当部と、前記店舗在庫照会の結果、在庫品が無い場合、本部在庫の照会を行う他店在庫照会部と、本部在庫が確認された時に該当在庫品を売上引当する他店在庫品引当部と、これら本部在庫品の照会および売上引当などの処理並び該当商品の在庫データ更新などをリアルタイムで制御するリアル更新部と、前記本部サーバに送信する各種データから所定の送信データを作成する送信データ作成部と、日時データを生成するカレンダとを有する処理部と、
前記売上管理データを記憶する売上マスタと、前記店舗在庫データを記憶する在庫マスタと、前記売上引当する引当管理データを記憶している引当マスタと、オフラインで本部サーバより受信した受信データを一時記憶する受信ファイルとを有する主記憶部と、
各種データの入力や操作入力手段を有する入力部とで構成する店舗サーバと、
前記店舗サーバからの売上データ、在庫データなどを送受信する通信手段と全店舗の売上管理手段と売上商品の在庫照会手段と在庫確認された該在庫商品を売上に引当てる在庫引当手段とを有する処理部と、全店舗の売上管理データ、在庫管理データ、引当管理データなどを記憶している主記憶部と、各種データの入力や操作入力手段を有する入力部とで構成する本部サーバとで構成され、
各店舗サーバは、ＰＯＳ端末より入力された売上対象商品の店舗内での在庫照会を行い、当該在庫が無い場合、本部在庫の照会をリアルタイムで行うと共に、本部に在庫品がある時には、該在庫品をリアルタイムで売上引当を行うことを特徴とするリアルタイム在庫管理システム。
【請求項２】
前記店舗サーバの処理部に、
配送中の商品を照会する配送照会部と、本部への配送中の商品を照会する他店配送照会部と、前記配送中の商品を売上引当するため配送先を変更する配送予約部と、前記本部へ配送中の商品を売上引当するため配送先を自店舗に変更する他店配送予約部と、
前記店舗サーバの主記憶部に、配送品の種類、数量、配送先などの配送データを記憶する配送マスタとを追加設置し、売上商品の引当に際して、配送途中の商品をも対象とすることを特徴とする請求項１に記載のリアルタイム在庫管理システム。
【請求項３】
前記店舗サーバの主記憶部に、
未在庫商品の発注データを記憶する発注マスタと、仕入れ中の商品データを記憶する仕入マスタと、店舗間で移動中の商品データを記憶している移動マスタとを追加設置し、売上予定商品の在庫が無い場合、前記入力部を用いて該当商品の発注を行うと共に発注商品、仕入中もしくは移動中の商品であっても売上引当予約することを特徴とする請求項１に記載のリアルタイム在庫管理システム。
【請求項４】
前記本部サーバを、
ＬＡＮなどの構内通信回線と通信接続制御を行う通信制御部と、受信した受信データを種類別に分離する受信データ分離部と、前記各店舗よりの売上データに基づき全店舗の売上管理処理を行う売上管理部と、店舗サーバよりの本部在庫照会要求に基づき本部在庫の照会を行う本部在庫照会部と、本部在庫が確認された時には、該当在庫品を当該店舗に売上引当する在庫品引当部と、これら本部在庫品の照会および売上引当などの処理並び該当商品の在庫データ更新などをリアルタイムで制御するリアル更新部と、前記各店舗サーバに送信する各種データから所定の送信データを作成する送信データ作成部と、日時データを生成するカレンダとを有する処理部と、
前記全店舗の売上管理データを記憶する売上マスタと、前記本部在庫データを記憶する在庫マスタと、前記売上引当する本部引当管理データを記憶している引当マスタと、オフラインで店舗サーバより受信した受信データを一時記憶する受信ファイルと、全店舗の在庫をデータを記憶している全店在庫マスタと、オフラインで定時的に各店舗サーバに送信する商品データ、本部在庫データなどの店舗サーバメンテナンスデータを記憶しているマスタメンテナンスファイルとを有する主記憶部と、
各種データの入力、オフライン処理操作およびメンテナンス処理などの入力を行う入力部とで構成することを特徴とする請求項１に記載のリアルタイム在庫管理システム。
【請求項５】
前記本部サーバの処理部に、
他店の在庫照会を行う他店在庫照会部と、他店の在庫が確認された時に該当在庫品を売上引当する他店在庫品引当部とを追加設置し、前記本部在庫品の照会の結果、在庫品が無い場合、他店舗の在庫照会および売上引当の管理制御を行うことを特徴とする請求項４に記載のリアルタイム在庫管理システム。
【請求項６】
前記本部サーバの処理部に、本部へ配送中の商品を照会する配送照会部と、前記本部へ配送中の商品を売上引当するため配送先を変更する配送予約部と、
同上の主記憶部に、配送品の種類、数量などの配送データを記憶する配送マスタとを追加設置し、売上商品の引当に際して、本部への配送途中の商品をも対象とすることを特徴とする請求項４に記載のリアルタイム在庫管理システム。
【請求項７】
前記本部サーバの主記憶部に、
本部発注商品の発注データを記憶する発注マスタと、本部で仕入れ中の商品データを記憶する仕入マスタと、店舗間で移動中の商品データを記憶している移動マスタとを追加設置し、売上予定商品の在庫が無い場合、前記入力部を用いて該当商品の発注を行うと共に発注商品、仕入中もしくは移動中の商品であっても売上引当予約することを特徴とする請求項４に記載のリアルタイム在庫管理システム。
【発明の詳細な説明】
【０００１】
【本発明の技術分野】
複数の店舗ＰＯＳからの売上データを店舗サーバで集計し、ＬＡＮ−ＷＡＮなどの通信回線経由で本部サーバの在庫データをリアルタイムで活用・更新するシステムに係わる。
【０００２】
【従来の技術】
大規チェーン店では、多数の売上管理用のＰＯＳ端末が用いられている。該ＰＯＳ端末はＬＡＮやＷＡＮなどの店内通信回線で、売上管理、在庫照会、引当などを行う店舗サーバと通信接続されている。さらに各店舗の店舗サーバはＩＳＤＮなどの公衆回線で本部サーバ通信接続され、販売時点での売上管理データが定時的に収集され、販売管理用データとして利用されている。各店舗での商品在庫の管理は、店舗内の在庫管理サーバと店舗サーバ間のみで行われる。売上管理データや在庫管理データは、オフラインで本部サーバとの間で交換される。この仕組みにおいては、販売時に店舗内の在庫切れがあっても、本部在庫や他店在庫の転用などの迅速な対応が出来ない。在庫切れ対応や商品在庫の回転率向上のためのシステムが求められている。
【０００３】
【発明が解決しようとする課題】
前記問題点に鑑み本発明は、店舗サーバ側からリアルタイムで本部サーバの在庫管理データを照会し、販売活用できる在庫管理システムの構築を目的とする。
【０００４】
【課題を解決するための手段】
顧客毎の売上入力処理を行う複数のＰＯＳ端末と、ＰＯＳ端末より構内通信回線を経由して売上商品データを送受信する通信手段と受信した商品の店舗および本部の在庫を照会する在庫照会手段と在庫確認された該在庫商品を売上に引当てる在庫引当手段とを有する処理部と、売上管理データ、在庫管理データ、引当管理データなどを記憶している主記憶部と、各種データの入力や各種操作入力手段を有する入力部とで構成する店舗サーバと、構内通信回線とＩＳＤＮなどの公衆回線とを通信接続する通信ゲート機能を有するルータと、店舗サーバからの売上データ、在庫データなどを送受信する通信手段と全店舗の売上管理手段と売上商品の在庫照会手段と在庫確認された該在庫商品を売上に引当てる在庫引当手段とを有する処理部と、全店舗の売上管理データ、在庫管理データ、引当管理データなどを記憶している主記憶部と、各種データの入力や各種操作入力手段を有する入力部とで構成する本部サーバとで構成する。
【０００５】
さらに、店舗サーバを、
ＬＡＮなどの構内通信回線と通信接続制御を行う通信制御部と、受信した受信データを種類別に分離する受信データ分離部と、ＰＯＳ端末よりの売上データに基づき売上管理処理を行う売上管理部と、売上対象商品の店舗内の在庫照会を行う店舗在庫照会部と、店舗在庫が確認された時に該当在庫品を売上引当する在庫品引当部と、店舗内での在庫照会の結果、在庫品が無い場合、本部在庫の照会を行う他店在庫照会部と、本部在庫が確認された時に該当在庫品を売上引当する他店在庫引当部と、これら本部在庫品の照会および売上引当などの処理並び該当商品の在庫データ更新などをリアルタイムで制御するリアル更新部と、本部サーバに送信する各種データから所定の送信データを作成する送信データ作成部と、日時データを生成するカレンダとを有する処理部と、
売上管理データを記憶する売上マスタと、店舗在庫データを記憶する在庫マスタと、売上引当する引当管理データを記憶している引当マスタと、オフラインで本部サーバより受信した受信データを一時記憶する受信ファイルとを有する主記憶部と、
各種データの入力、オフライン処理操作およびメンテナンス処理などの入力を行う入力部とで構成する。
【０００６】
さらに、店舗サーバの処理部に、
配送中の商品を照会する配送照会部と、本部への配送中の商品を照会する他店配送照会部と、配送中の商品を売上引当するため配送先を自店舗に変更する配送予約部と、本部へ配送中の商品を売上引当するため配送先を変更する他店配送予約部と、  同上の主記憶部に、配送品の種類、数量、配送先などの配送データを記憶する配送マスタとを追加設置する。
【０００７】
さらに、店舗サーバの主記憶部に、
発注商品の発注データを記憶する発注マスタと、仕入れ中の商品データを記憶する仕入マスタと、店舗間で移動中の商品データを記憶している移動マスタとを追加設置する。
【０００８】
さらに、本部サーバを、ＬＡＮなどの構内通信回線と通信接続制御を行う通信制御部と、受信した受信データを種類別に分離する受信データ分離部と、各店舗よりの売上データに基づき全店舗の売上管理処理を行う売上管理部と、店舗サーバよりの本部の在庫照会要求に基づき本部在庫の照会を行う本部在庫照会部と、本部在庫が確認された時には、該当在庫品を当該店舗に売上引当する在庫品引当部と、これら本部在庫品の照会および売上引当などの処理並び該当商品の在庫データ更新などをリアルタイムで制御するリアル更新部と、各店舗サーバに送信する各種データから所定の送信データを作成する送信データ作成部と、日時データを生成するカレンダとを有する処理部と、全店舗の売上管理データを記憶する売上マスタと、本部在庫データを記憶する在庫マスタと、売上引当する本部引当管理データを記憶している引当マスタと、オフラインで店舗サーバより受信した受信データを一時記憶する受信ファイルと、全店舗の在庫データを記憶している全店在庫マスタと、オフラインで定時的に各店舗サーバに送信する商品データ、本部在庫データなどの店舗サーバメンテナンスデータを記憶しているマスタメンテナンス・ファイルとを有する主記憶部と、各種データの入力、オフライン処理操作およびメンテナンス処理などの入力を行う入力部とで構成する。
【０００９】
さらに、本部サーバの処理部に、
他店の在庫照会を行う他店在庫照会部と、他店の在庫が確認された時に該当在庫品を売上引当する他店在庫品引当部とを追加設置する。
さらに、本部サーバの処理部に、本部へ配送中の商品を照会する配送照会部と本部へ配送中の商品を売上引当するため配送先を変更する配送予約部と、
本部サーバの主記憶部に、配送品の種類、数量などの配送データを記憶する配送マスタとを追加設置する。
【００１０】
さらに、本部サーバの主記憶部に、本部での発注商品の発注データを記憶する発注マスタと、本部で仕入れ中の商品データを記憶する仕入マスタと、店舗間で移動中の商品データを記憶している移動マスタとを追加設置する。
【００１１】
【発明の実施の形態】
図１は本発明による在庫管理システムの一実施例のシステム図、図２は本発明による店舗サーバの一実施例の要部ブロック図、図３は本発明による本部サーバの一実施例の要部ブロック図である。
図１を用いて、本システムの総括的動作を説明する。
店舗側のシステムＳは、顧客毎の売上入力処理を行う複数のＰＯＳ端末５と、売上商品データを送受信する通信手段と受信した商品の店舗および本部の在庫を照会する在庫照会手段と在庫確認された該在庫商品を売上に引当てる在庫引当手段とを有する処理部２と、売上管理データ、在庫管理データ、引当管理データなどを記憶している主記憶部４と、各種データの入力や各種操作入力手段を有する入力部３とで構成する店舗サーバ１とを、ＬＡＮなどの構内通信回線ＮＴ１で通信接続している。表示部Ｐは店舗サーバの表示出力モニタとして用いられる。このＬＡＮは、外部通信網との関門役のルータＲを経由して、ＩＳＤＮのような公衆回線ＮＴ２に接続されている。この公衆回線ＮＴ２には全店舗の店舗サーバ１’および本部サーバ６がルータＲ’経由で接続され、全国規模の売上管理ネットワークを形成している。
【００１２】
本部システムＨは、本部サーバ６と物流管理１０ａ、発注仕入管理１０ｂ、棚卸管理１０ｃ、在庫管理１０ｄ、売上管理１０ｅなどの本部クライアントシステムとが、ＬＡＮやＷＡＮなどの構内通信回線ＮＴ３で結ばれている。本部サーバ６は、店舗サーバからの売上データ、在庫データなどを送受信する通信手段と全店舗の売上管理手段と売上商品の在庫照会手段と在庫確認された該在庫商品を売上に引当てる在庫引当手段とを有する処理部７と、全店舗の売上管理データ、在庫管理データ、引当管理データなどを記憶している主記憶部９と、各種データの入力や各種操作入力手段を有する入力部８とで構成される。
【００１３】
顧客への個別販売時には、ＰＯＳ端末５により売上処理が行われるが、販売現場に当該商品が在棚されていない場合、店舗サーバは、ＰＯＳ端末５よりの入力データに基づき、店舗倉庫内の在庫照会を行い、在庫が確認されると該当の在庫品を売上引当する。在庫が無い場合、公衆回線ＮＴ２を経由して本部サーバ６に通信接続し、リアルタイムで本部在庫の照会を行うと共に本部在庫品の売上引当処理を行う。同時に本部在庫管理データを更新する。
【００１４】
図２を用いて、店舗システムＨの詳細な動作説明を行う。
ＰＯＳ端末５よりの売上データは、ＬＡＮなどの構内通信回線ＮＴ１を経由して通信制御部３１により受信される。受信データ分離部３３は受信データをデータの種類別に制御信号と分離し、所定の処理および記憶部に分離入力する。売上管理部２１は、売上予定商品の品目名、数量、金額などの売上データを管理入力すると共に売上マスタ４０に追加記憶する。販売現場に商品がない場合、店舗在庫照会部２２は、在庫マスタ４１より該当商品在庫の有無とその数量を照会する。必要数量が確保されると、在庫引当部２４は該在庫品を売上引当し、引当マスタ４２に登録すると共に在庫マスタ４１から在庫量を減数するなどの引当処理を行う。在庫がない場合、配送照会部２６は該当店舗に配送中の該当商品有無を、配送マスタ４３内のデータにより照会し、配送中の商品があると、配送予約部２８は該当品の配送予約処理を行う。
【００１５】
店舗内の在庫が無かったり数量が不足している場合、他店在庫照会部２３は、本部在庫を照会するため、本部在庫照会要求を出力する。送信データ作成部３２は送信に必要な送信データを作成し、通信制御部３１を経由して本部サーバ６に送出する。本部サーバ６より在庫有りの確認結果を受信すると、他店在庫引当部２５はリアル更新部３０に本部在庫の売上引当要求を出す。リアル更新部３０は本部サーバ６に対して在庫品の引当処理を依頼すると共に引当マスタ４２に登録する。さらに本部在庫がない場合、本部配送照会部２７は本部に配送中の該当商品有無を、本部サーバに照会し、有った時には、他店配送予約部２９は該当品の予約処理を行う。
【００１６】
それでも、売上引当品が得られない場合、入力部３より発注処理を入力する、このデータは発注マスタと４７と仕入マスタ４６に登録部される。売上管理、引当管理、発注管理、配送管理、倉庫間移動管理、在庫管理など実務的処理は、詳細が図示されていない店舗クライアント５１で行われるが、本発明の趣旨とは直接関係しないので説明を省略する。
【００１７】
売上管理データ、在庫管理データ、仕入管理データなどは、夜間などにオフラインで本部サーバに送信するため、必要なデータを送信ファイル４８に一時記憶しておき、カレンダ３４からの定時情報に基づき、該送信ファイルのデータは本部サーバに送出される。一方本部サーバ６からは、商品管理データ、本部在庫管理データなどが送られ受信ファイル４９に一時記憶される。
【００１８】
表示制御部３５は動作状況や手動入力中のデータより画像信号を生成し表示部Ｐに出力する。さらに印刷制御部３６はプリントデータを生成してプリンタＰｒの印刷制御を行う。
【００１９】
図３を用いて本部サーバ６の詳細な動作説明を行う。
全店舗の店舗サーバからの売上管理データおよび本部在庫照会要求は、本部内のＬＡＮやＷＡＮなどの構内通信回線ＮＴ３を経由して、通信制御８１が受信する。受信データ分離部８３は、受信データをデータ種類別に制御信号と分離し所定の処理および記憶部に分離入力する。売上管理部７１は、全店舗の売上商品の品目名、数量、金額などの売上データを管理入力すると共に売上マスタ９０に追加記憶する。店舗サーバより本部在庫の照会要求があった場合、本部在庫照会部７２は在庫マスタ９１より該当商品在庫の有無とその数量を照会し、その結果を店舗サーバ１に送出する。
リアル更新部８０は、該店舗サーバ１より該当在庫品の売上引当要求を受信すると、在庫引当部７４および他店在庫引当部７５に対して引当実行指令を出す。在庫引当部７４は該在庫品を売上引当し、引当マスタ９２に登録すると共に在庫マスタ９１から在庫量を減数し、且つ移動マスタ９１にも登録するなどの引当処理を行う。
在庫がない場合、配送照会部７６は本部に配送中の該当商品有無を、配送マスタ９３内のデータにより照会し、配送途中の商品が有ると、店舗サーバ１よりの売上引当要求を受けて配送予約部７８は該当品の予約処理を行う。
【００２０】
本部に在庫が無かったり数量が不足している場合、他店在庫照会部７３は、全店在庫マスタ１００より該当商品在庫の有無とその数量を照会し、その結果を店舗サーバ１に送出する。
該店舗サーバ１より該当在庫品の売上引当要求を受信すると、他店在庫引当部７５は該在庫品を売上引当し、引当マスタ９２に登録し、全店在庫マスタ１００から在庫量を減数すると共に在庫品を持っている店舗の店舗サーバに対して該当在庫品の転送指令を出し、店間移動マスタ１０３にも登録する。
さらに、他店配送予約部７９は該当他店の店舗サーバに対して、引当要求先店舗への配送予約指令を発する。
【００２１】
最終的に売上引当品が無い場合の緊急発注は、入力部８より手動操作により発注処理を入力する。このデータは発注マスタ９７と仕入マスタ９６に登録部される。売上管理、引当管理、発注管理、配送管理、倉庫間移動管理、在庫管理など実務的処理は、詳細が図示されていない本部クライアント１０で行われるが、本発明の趣旨とは直接関係しないので説明を省略する。
【００２２】
全店舗の管理データによる、本部サーバの管理データ更新は、夜間や日常業務の閑散時間に定時的に行われ、各店舗サーバ内の送信ファイル４８に予め更新された所定の管理データを通信制御部８１で受信し、受信データ分離部８３が所定の全店マスタにデータ入力させる。更新対象は全店売上マスタ１０４、全店在庫マスタ１００、全店発注マスタ１０２、店間移動マスタ１０３などである。
各店舗サーバの管理データの一斉更新は、該当する管理データをマスタメンテナンスファイル１０１に予め記憶させ、定時的に、送信データ作成部８２、通信制御部８１などを経由して、各店舗サーバに送出される。
【００２３】
表示制御部８５は動作状況や手動入力中のデータより画像信号を生成し表示部Ｐに出力する。さらに印刷制御部８６はプリントデータを生成してプリンタＰｒの印刷制御を行う。
【００２４】
図４は本発明による在庫管理システムの実施例における処理フロー図である。本図を用いて売上・在庫管理のフローを説明する。
店舗に設置されたＰＯＳ端末５より、商品コード、商品名、数量等の売上データが売上管理部２１に入力ＳＴ１されると、店舗在庫照会部２２は在庫マスタ４１の在庫データを照合ＳＴ２して、必要数が確保出来るかの確認を行う。必要数が確保できると、在庫引当部２４は、在庫マスタ４１内の該当商品の在庫数を減数し、出庫処理、配送予約などの在庫引当処理ＳＴ３を行う。さらに売上管理部２１は、売上マスタ４０への追加記憶などの売上計上処理ＳＴ４を行い、通常のルーチンは終了する。
【００２５】
しかしながら、しばしば店棚や店舗倉庫に在庫が無かったり、不足する場合がある。従来の販売システムにあっては、販売員が本店や他店舗に電話やファクシミリなどで問い合わせて、顧客に入荷時期等を提示するか、もしくは、後日入荷日を回答するなどしている。本システムでは、他店在庫照会部２３が公衆回線ＮＴ２経由で本部サーバ６に本部在庫の照会要求を送る。本部サーバ６内の本部在庫照会部７２は、在庫マスタ９１の在庫データを照合ＳＴ５して、必要数が確保出来るかを店舗サーバ１に回答する。必要数が確保できると、他店在庫引当部２３は、リアル更新部３０に本部在庫の転用許可を得て、本部サーバ６に本部在庫の引当要求を出す。本部サーバ内の在庫引当部７４は、在庫マスタ９１内の該当商品の在庫数を減数し、出庫処理、配送予約などの在庫引当処理ＳＴ６を行う。さらに本部倉庫から当該店舗への移動処理ＳＴ７などを行い、その結果を店舗サーバ１に通知する。売上管理部２１はこの通知に基づき売上計上処理ＳＴ４を行う。
【００２６】
店舗在庫および本部在庫が無いか、もしくは、不足している場合、二通りのルーチンがある。
第一は、本部サーバ内の他店在庫照会部７３が、全店在庫マスタ１００の他店舗の在庫データを照合ＳＴ８して、店舗サーバ１に回答し、必要数が確保できると、他店在庫引当部２３は、リアル更新部３０に本部在庫の転用要求を出し、転用許可が出ると、本部サーバ６に本部在庫の引当要求を出す。本部サーバ内の他店在庫引当部７５は、リアル更新部８０に他店在庫の転用許可得て、他店のサーバ１’に在庫引当処理ＳＴ９を依頼すると共に店舗間で商品の移動処理ＳＴ１０などを行い、その結果を店舗サーバ１に返信する。
【００２７】
第二は、手動操作により入力部３より、発注照会ＳＴ１１をし、未発注の場合には、該当商品を納期指定と共に発注マスタ４７に追加登録するなどの発注処理ＳＴ１２を行い、顧客に引渡し期日を提示する。
【００２８】
【発明の効果】
本発明は、以上に説明した内容で実施され、以下に述べる効果を奏する。
各店舗サーバは、ＰＯＳ端末より入力された売上対象商品の店舗内在庫照会を行い、当該在庫が無い場合、本部在庫の照会をリアルタイムで行うと共に、本部に在庫品がある時には、該在庫品をリアルタイムで売上引当を可能とした。
さらに、配送中の商品の照会と、売上商品の引当に際して配送途中の商品をも対象とすることが出来る。
さらに、本部在庫品の照会結果、在庫品が無い場合、他店舗の在庫照会および売上引当の管理制御を行うことが出来る。
以上の如く本発明は、店舗サーバ側からリアルタイムで本部サーバの在庫管理データを照会し、販売活用できる在庫管理システムを構築した。
【図面の簡単な説明】
【図１】本発明による在庫管理システムの一実施例のシステム図である。
【図２】本発明による店舗サーバの一実施例の要部ブロック図である。
【図３】本発明による本部サーバの一実施例の要部ブロック図である。
【図４】本発明による在庫管理システムの実施例における処理フロー図である。
【符号の説明】
Ｈ  本部システム
Ｓ  店舗システム
ＮＴ１、ＮＴ２  構内通信回線
ＮＴ２  公衆回線
Ｒ  ルータ
１  店舗サーバ
２、７  処理部
３、８  入力部
４、９  主記憶部
５  ＰＯＳ端末
６  本部サーバ
１０  本部クライアント
２１、７１  売上管理部
２２  店舗在庫管理部
２３、７３  他店在庫管理部
２４、７４  在庫引当部
２５、７５  他店在庫引当部
２６、７６  配送照会部
２７  本部配送照会部
２８、７８  配送予約部
２９、７９  他店配送予約部
３０、８０  リアル更新部
３１、８１  通信制御部
３２、８２  送信データ作成部
３３、８３  受信データ分離部
３４、８４  カレンダ
４１、９１  在庫マスタ
４２、９２  引当マスタ
４３、９３  配送マスタ
４５、９５  移動マスタ
４６、９６  仕入マスタ
４７、９７  発注マスタ
４８、９８  送信ファイル
４９、９９  受信ファイル
５１  店舗クライアント
１００  全店在庫マスタ
１０１  マスタメンテナンスファイル
１０２  全店発注マスタ
１０３  店間移動マスタ
１０４  全店売上マスタ
【図１】
0003777759.tif 000002
【図２】
0003777759.tif 000003
【図３】
0003777759.tif 000004
【図４】
0003777759.tif 000005